(57)【要約】【課題】衣類に部分的に保温部位を設け、且つ汗さばき性にも優れた夏季用、特に冷房用保温衣類を提供することにある。【解決手段】編地の表側はニット部、肌側はニット部とウエルト部を組み合わせて凸部を形成し、該凸部の割合は３０〜７０％で構成され、且つ肌側に疏水性材料を主とする露出したループからなる疎水性層、表側に親水性材料を主とするループからなる親水性層を形成した冷房用保温衣類を構成する。【選択図】      図１
2004183160.tif 000002
【特許請求の範囲】
【請求項１】
編地の表側はニット部、肌側はニット部とウエルト部を組み合わせて凸部を形成し、該凸部の割合は３０〜７０％で構成され、且つ肌側に疎水性材料を主とする露出したループからなる疎水性層、表側に親水性材料を主とするループからなる親水性層を形成したことを特徴とする冷房用保温衣類。
【請求項２】
前記疎水性層は、親水性繊維と疎水性ポリエステル繊維とからなり、その構成比率が０：１００〜５０：５０で構成され、前記親水性層は親水性繊維と疎水性繊維とからなり、その構成比率が５０：５０〜１００：０で構成されている請求項１に記載の冷房用保温衣類。
【請求項３】
前記肌側の疎水性層は、着用者の肩部及び／又は腰部を含む身体部位に構成される請求項１又は請求項２に記載の冷房用保温衣類。
【請求項４】
前記着用者の肩部は、左右の鎖骨上部から肩甲骨にわたる領域と両肩を含む部位で構成される請求項３に記載の冷房用保温衣類。
【請求項５】
前記着用者の腰部は、背中側の第１腰椎と第３腰椎を中心とする部位を含む身部部位で構成される請求項３に記載の冷房用保温衣類。
【発明の詳細な説明】
【０００１】
【発明の属する技術分野】
本発明は、保温衣類、特に、冷房用保温衣類に関するものである。
【０００２】
【従来の技術】
夏期には、屋外温度が高いので、屋外環境に合わせて薄い肌着等の衣類を着用する人が多いが、冷房の効いた室内では、薄着を着用した人は、身体が冷え過ぎて足腰の冷え、体のだるさ、疲れ、頭痛、神経痛、胃腸障害、生理障害、食欲不信、皮膚の荒れ等を訴える場合が多い、いわゆる冷房病に罹る人がみられる。特に、室内温度が２５℃前後を境にして急に訴えが増加している。
【０００３】
また、女性の方が冷房病に罹る割合が多い。これは、女性の方が生理的に基礎代謝が低く、皮膚の温度が低いこと、解剖学的には皮下脂肪が多いため、熱伝導性が不良であり、血管の密度も少なく、体が冷えやすいことによるといわれている。また、男女の体と衣服習慣の違いが同じ温度でも女性が寒く感じ、男性が暖かく感じる原因となっており、この差は夏で２℃といわれている。
更に、冷え性とも関係がありそうで、いわゆる冷え性は女性の半数に見られるといわれている。
【０００４】
このように、冷房の効いた室内では、カーディガンや、膝掛けを使用したり、厚着をしたり、重ね着をしたり、保温衣料を着用して冷房病にならないように防護している。
【０００５】
しかしながら、上記のように、単に保温衣料を着用しても屋外環境に移動した時は、暑すぎて不快感を起こし、多くの人は、冷房室内と極暑屋外とよって着脱できるカーディガンや、膝掛けを使用して対応している。
【０００６】
例えば、保温部を有する衣料として、背面側に他の部分よりも高保温率とした高保温部分を部分的に設け、上記高保温部分は、背中の正中線に沿った第７頸椎から尾骨に到る第１ラインに層部分の一部あるいは全部、あるいは第１２胸椎から左右の肩甲骨を含み肩峰に到る第２ラインと第７頸椎から左右の肩峰に到第３ラインとに囲まれた部分に設け、上記高保温部分の保温率を他の部分の保温率の１．３倍以上１１倍以下とし、かつ高保温部分の１か所の幅は２ｃｍ以上とし、該高保温部分の総面積は、背面部の総面積の２／３以下としており、高保温部分は当て布を縫着し、素材を変え、編み密度を変え、又は保温性材料を溶着しているものが知られている（例えば、特許文献１参照）。
【０００７】
また、肌に触れる内側に疎水性繊維で、表側に吸水性繊維で多重構造組織に編成して、内側の疎水性繊維の毛細管現象で肌の水分や湿気を吸い上げ、表側の吸水性繊維で吸い取り、肌表面の水分や湿気を軽減させる衣類も知られている（例えば、特許文献２参照）。
【０００８】
【特許文献１】
特開２００１−１９２９０１（第１〜第３頁、図１）。
【特許文献２】
特開２００２−４１０５（第１〜第２頁、図１）。
【０００９】
しかしながら、特許文献１に記載されている衣類は、主として冬季に着用する肌着に関するものであり、暖かく軽い肌着として好適であるが、夏季に屋外に出た場合の汗処理機能は存在しない。即ち、肌側に疎水性材料からなる疎水性層と表側に親水性材料からなる親水層を設けた冷房用保温衣類でないから、冷房環境下において、保温効果が生じ、また夏季屋外環境下において衣服内湿度の上昇が緩やかになり、汗さばき性が生じるという効果は認められない。
【００１０】
また、特許文献２に記載されている衣類は、肌表面の水分や湿気を軽減させることができるが、特に、肌側の疎水性層は、着用者の肩部又は腰部を含む身体部位に構成される冷房用保温衣類ではないので、冷房の効いた室内では保温機能がありながら、夏季屋外において汗処理機能を備えたような両立する機能を備えていないという問題点がある。
【００１１】
【発明が解決しようとする課題】
本発明は、前記のような課題を解決するためになされたものであって、衣類に部分的に保温部位を設け、且つ汗さばき性にも優れた夏季用、特に冷房用保温衣類を提供することにある。
【００１２】
【課題を解決するための手段】
本発明の第１の課題解決の手段は、編地の表側はニット部、肌側はニット部とウエルト部を組み合わせて凸部を形成し、該凸部の割合は３０〜７０％で構成され、且つ肌側に疏水性材料を主とする露出したループからなる疎水性層、表側に親水性材料を主とするループからなる親水性層を形成した冷房用保温衣類にある。
【００１３】
本発明の第２の課題解決の手段は、前記疎水性層は、親水性繊維と疎水性ポリエステル繊維とからなり、その構成比率が０：１００〜５０：５０で構成され、前記親水性層は親水性繊維と疎水性繊維とからなり、その構成比率が５０：５０〜１００：０で構成され、空気層を維持させることによって保温効果を持たせた冷房用保温衣類にある。
【００１４】
本発明の第３の課題解決の手段は、前記肌側の疎水性層は、着用者の肩部及び／又は腰部を含む身体部位に構成される冷房用保温衣類にある。
【００１５】
本発明の第４の課題解決の手段は、前記着用者の肩部は、左右の鎖骨上部から肩甲骨にわたる領域と両肩を含む部位で構成される冷房用保温衣類にある。
【００１６】
本発明の第５の課題解決の手段は、前記着用者の腰部は、背中側の第１腰椎と第３腰椎を中心とする部位を含む身部部位で構成される冷房用保温衣類にある。
【００１７】
本発明は、上記のように構成したので、冷房環境下において、肩、腰、背、下腿の皮膚温が対照区（アクティ１００ｄ１本と綿糸４８／１の交編フライス）より上昇し、保温効果が認められる。また、夏季屋外環境下において、衣服内湿度の上昇が緩やかになり、汗さばき性の効果が認められ、従来の問題点が解消されることになったのである。
【００１８】
【発明の実施の形態】
本発明の保温衣類を図示しながら説明する。
図１、図２に示すように、袖付き肌着１及びスリーブレス肌着２において、斜線で示すように、着用者の左右の鎖骨上部から肩甲骨にわたる領域又は両肩を含む部位Ａと、脊椎の形態を図３により説明すると、背中側第１腰椎から第３腰椎を中心とする近傍部位（斜線Ｂ）に、肌側に疎水性材料からなる疎水性層と表側に親水性材料からなる親水性層を設けた保温衣類を形成する。
【００１９】
疎水性層は、親水性再生セルロース繊維と疎水性ポリエステル繊維とからなる糸で編成され、親水性再生セルロース繊維と疎水性ポリエステル繊維との割合は０：１００〜５０：５０％の範囲にすることができる。また、親水性層は、綿繊維と疎水性ポリエステル繊維と再生セルロース繊維とからなる糸で編成され、親水性繊維と疎水性ポリエステル繊維との割合は４０：６０〜１００：０％の範囲にすることができる。
【００２０】
人間の温度感受性は、身体の温冷点の分布密度に依存するといわれている。特に、身体の背面の冷点分布密度は、腰、肩甲、首、肩の順に高いことが認められている。そこで、身体の部位で腰部は、冷点が多く、保温が必要な部位であり、肩部は衣服と密着するため、保温効果が少ない部位であるので、特に、腰部と肩部に保温層を設け、その他の部位は保温しなくても効率よく保温効果が得られるとした。
【００２１】
また、図４に斜線で示すように、背中側第１腰椎から第３腰椎を中心とする近傍部位を含むそれより下方部位Ｃに疎水性材料からなる疎水性層ＰＢと表側に親水性材料からなる親水性層ＰＬを設けた保温衣類を形成してもよい。
【００２２】
図５に示すように、編糸供給口から、綿糸３を１本、アクティコット糸５を２本、綿糸３を１本、アクティコット糸４を１本というように、交互に糸を供給する。ここで、アクティコット（旭化成工業（株）の商標名）糸とは、キュプラと異型断面ポリエステル繊維との混繊糸であり、キュプラを含有しているので、完全な疎水性繊維でないため、汗の吸い上げを効率よく行うことができる。なお、前記混繊糸に代えて再生繊維素繊維とポリエステル繊維との混紡糸を用いてもよい。
【００２３】
そして、編針の編成動作によって、編針がループを編成する位置をニット部Ｎといい、編針がループを編成しない位置をウエルト部Ｗという。ニット部Ｎは肌側、表側にそれぞれ編地の表面に露出し、ウエルト部Ｗは編地の肌側面に露出しないので、図６に示すように、疎水性繊維であるアクティコット糸５が肌側に突出して空気層を形成し、保温性を有する。更に、表側の層は、図６に示すように、綿糸３とアクティコット糸４が交互に配置されているので、親水性繊維の綿糸だけ配置されている場合よりも、汗の拡散、蒸発がしやすくなっている。
【００２４】
このように、疎水性層と親水性層とは同一の糸で構成されており、肌側、表側にそれぞれ表面に露出する綿糸とアクティコット糸の面積比率によって疎水性と親水性という作用が異なってくる。綿糸の露出面積が多い側が親水性層となり、アクティコット糸の露出面積が多い側が疎水性層となる。
【００２５】
したがって、本発明は、肌側、表側にそれぞれ表面に露出する綿糸とアクティコット糸の面積比率を選択できる編地の編成組織であれば、任意の組織を使用することができる。例えば、肌側と表側とのループを別個に構成して編成する二重編にし、肌側に疎水性繊維を用い表側に吸水性繊維を用いるようにしてもよい。
【００２６】
ここで、前記疎水性層である、親水性再生セルロース繊維と疎水性ポリエステル繊維とからなる糸で編成されるニット部（凸部）の比率が３０％以下であると、ウエルト部（凹部）がつぶれてしまい、空気層を維持するのが難しくなり、保温効果が減少する。また、前記疎水性層である、親水性再生セルロース繊維と疎水性ポリエステル繊維とからなる糸で編成されるニット部（凸部）の比率が７０％以上であると、空気層が減少し、保温効果が少なくなるとともに、肌との接触面積が増加することによって、肌にべたつくようになる。
【００２７】
このように、汗の拡散、蒸発がしやすく、肌との接点が少ないことにより、べたつき感が軽減するとともに空気層を保持するため、保温性を有するようになるので、冷房環境と暑熱環境を行き来する状況での上記衣類の着用が効果的である。
【００２８】
次に、実施例により、本発明を詳細に説明する。
（実施例１）
横方向４ウエール、縦方向８コースの単位で、コース方向に、４８番手の綿糸単糸と、１００デニールのアクティコット糸１本と、４８番手の綿糸単糸と、１００デニールのアクティコット糸２本とをこの順序に糸を供給して図７の組織で編成した。
ここで斜線部分は下針にループが形成されていない部分である。
【００２９】
図７に示す編み組織で編成された横方向４ウエール、縦方向８コースの単位あたりの疎水性層の凸部の比率は
凸部の比率＝（８＋４）／（４×８）＝３７．５
となり、凸部の比率は３７．５％である。
ここで凸部の比率は、面積％であり、アンダーライン部の数値は、ループの前後（０．５目づつ）を補正したものである。
【００３０】
なお、前親水性繊維と疎水性ポリエステル繊維との構成比率はテニール換算をすると表１のようになる。
【表１】
2004183160.tif 000003
上記のように全体の親水性繊維と疎水性ポリエステル繊維との構成比率は
親水性繊維：疎水性ポリエステル繊維＝７１．２：２８．８となる。
なお、疎水性領域（凸部）の親水性繊維と疎水性ポリエステル繊維との構成比率はいずれの実施例も５０：５０である。
【００３１】
この編地をウエットバック方法により、吸収した水分の戻りを測定した。
測定方法は、図８に示すように、アクリル板１０にフッ素樹脂テープ１１を張設した面に水２５μｌを滴下する。編地Ｆの肌側を下にして、アクリル板１０の上に載置し、編地Ｆの上にアクリル板１２を載置し、アクリル板１２の上に１５０ｇの荷重Ｗを１５秒間かける。次いで、荷重を取り除いて、図９に示すように、編地Ｆの上下を濾紙Ｐで挟み、編地Ｆの肌側を下にした状態を維持したまま、アクリル板１０の上に載置するとともに、編地Ｆの上にアクリル板１２を載置し、アクリル板１２の上に再び１５０ｇの荷重Ｐを１５秒間かける。
濾紙Ｐに移行した水分の画像をパソコンで取り込み、２価化処理した後、面積を求めた。その結果は表２に示すとおりである。
なお、従来品は４８番手の綿糸単糸からなるフライス組織の編地である。
【００３２】
【表２】
2004183160.tif 000004
【００３３】
また、濾紙に浸透した水分の痕跡は図１０のようになり、比較例の４８番手の綿糸単糸だけからなるフライス組織で編地の濾紙に浸透した水分の痕跡は図１１のようになった。
【００３４】
上記表２及び図１０、図１１から明らかなように、吸収した汗が肌に戻る量の比率が、肌側疎水層を有する本発明の場合と従来品の４８番手の綿糸単糸だけからなるフライス組織の編地に対して、３．４３／３４．８３＝９．８３％であり、肌側に疎水性材料からなる疎水性層を設けたので、比較例の親水性繊維の綿糸だけ構成されている場合よりも、肌側がべとつかず、汗の拡散、蒸発がしやすくなっていることがわかる。
【００３５】
また、同様に、肌側に疎水性材料からなる疎水性層、表側に親水性材料からなる親水性層を設けた図５、図６に示すような組織の編地を着用者の肩部又は腰部に設けた保温部と、アクティコット糸と綿糸の交編のフライス編で編成された編地と、比較品として、従来の綿糸だけでフライス編で編成された編地とをクロー値をもって表わした。その結果を表３に示す。
【００３６】
【表３】
2004183160.tif 000005
なお、クロー値は、カトーテック株式会社製ＫＥＳ−Ｆ７型ＴＨＥＲＭＯ  ＬＡＢＯ  ２によって測定した。
上記のように、本発明の保温部は、クロー値がその他の部位及び従来の編地よりも高く、保温性がよいことがわかる。
【００３７】
また、編地が圧縮される度合いを示すＫＥＳ圧縮特性をカトーテック株式会社製ＫＥＳ−ＦＢ３型圧縮試験機によって測定した結果を表４に示す。
【００３８】
【表４】
2004183160.tif 000006
【００３９】
上記のように、本発明の保温部は、圧縮率がその他の部位及び従来の編地よりも小さいので、つぶれにくく、空気層を多く含むことができる。
【００４０】
更に、編地の表面の状態を示すＫＥＳ表面特性をカトーテック株式会社製ＫＥＳ−ＦＢ４型表面試験機によって測定した結果を表５に示す。
【００４１】
【表５】
2004183160.tif 000007
上記のように、本発明の保温部は、表面粗さがその他の部位及び従来の編地よりも高く、凹凸があり、肌にべとつかないことがわかる。
【００４２】
（実施例２）
横方向２ウエール、縦方向４コースの単位で、コース方向に、１００デニールのアクティコット糸２本と４８番手の綿糸単糸とをこの順序に糸を供給して図１２の組織で編成した。
【００４３】
図１２に示す編み組織で編成された横方向２ウエール、縦方向４コースの単位あたりの疎水性層の凸部の比率は
凸部の比率＝（２＋２）／（２×４）＝５０．０
となり、凸部の比率は５０％でる。
ここで疎水性層の凸部の比率は、面積％であり、アンダーライン部の数値は、ループの前後（０．５目づつ）を補正したものである。
【００４４】
（実施例３）
横方向１６ウエール、縦方向１２コースの単位で、コース方向に、４８番手の綿糸１本と、１００デニールのアクティコット糸１本と、４８番手の綿糸単糸、１００デニールのアクティコット糸１本と、４８番手の綿糸単糸と、１００デニールのアクティコット糸２本とをこの順序に糸を供給して図１３の組織で編成した。
【００４５】
図１３に示す編み組織で編成された横方向１６ウエール、縦方向１２コースの単位あたりの疎水性層の凸部の比率は
凸部の比率＝（３２＋８）／（８×１２）＝４１．７
となり、表側の凸部の比率は４１．７％である。
ここで凸部の比率は、面積％であり、アンダーライン部の数値は、ループの前後（０．５目づつ）を補正したものである。
【００４６】
【発明の効果】
以上詳述したように、請求項１，２，３によれば、環境温度が高く、発汗作用があると、肌の表面にある汗を疎水性層が表面の毛細管現象により吸汗して表側に配置された親水性層の繊維が吸収し汗を移動させることができる。親水性層は吸収した汗を外部環境に蒸散させ、水分の移動を促進させ、且つ温度を下げることができる。
また、肌側面は、疎水性層の編成ループが突出しており、肌との接触面積が少ないので、汗によるべたつき感が少ない。そして、冷房効果の効いた室内等で環境温度が低い場合は、、肌側面の凹凸により空気層を多く含有するため、保温効果が高い。
【００４７】
請求項４，５，６によれば、冷房の効いた室内では保温機能がありながら、夏季屋外においては汗処理機能があり、相反する環境でも快適性を両立する機能を備えることができる。
【図面の簡単な説明】
【図１】本発明の一実施形態としての袖付き肌着を示し、（ａ）は正面図、（ｂ）は背面図である。
【図２】本発明の一実施形態としてのスリーブレス型肌着を示し、（ａ）は正面図、（ｂ）は背面図である。
【図３】人体の背骨を示す側面図である。
【図４】本発明の他の実施形態としてのスリーブレス型肌着を示し、（ａ）は正面図、（ｂ）は背面図である。
【図５】本発明の肌側に疎水性材料からなる疎水性層、外側に親水性材料からなる親水層を設けた編地の組織図である。
【図６】図５のＹ−Ｙ断面図である。
【図７】実施例１の組織を示す模式図である。
【図８】同ウエットバック方法により水分を吸水させる状態を示す概略図である。
【図９】同ウエットバック方法により吸収した水分の戻りの測定中の状態を示す概略図である。
【図１０】同保温部分のウエットバック方法により吸収した水分の痕跡を示す模式図である。
【図１１】従来品のウエットバック方法により吸収した水分の痕跡を示す模式図である。
【図１２】実施例２の組織を示す模式図である。
【図１３】実施例３の組織を示す模式図である。
【符号の説明】
１      袖付き肌着
２      スリーブレス型肌着
３      綿糸
４      アクティコット糸
５      アクティコット糸２本
１０    アクリル板
１１    フッ素樹脂テープ
１２    アクリル板
Ａ      左右の鎖骨上部から肩甲骨にわたる領域又は両肩を含む部位
Ｂ      背中側第１腰椎から第３腰椎を中心とする近傍部位肩端部
Ｃ      第１腰椎から第３腰椎を中心とする近傍部位を含むそれより下方部位
Ｎ      ニット部
Ｗ      ウエルト部
ＰＢ    疎水性層
ＰＬ    親水性層
Ｆ      編地
Ｐ      濾紙
【図１】
2004183160.tif 000008
【図２】
2004183160.tif 000009
【図３】
2004183160.tif 000010
【図４】
2004183160.tif 000011
【図５】
2004183160.tif 000012
【図６】
2004183160.tif 000013
【図７】
2004183160.tif 000014
【図８】
2004183160.tif 000015
【図９】
2004183160.tif 000016
【図１０】
2004183160.tif 000017
【図１１】
2004183160.tif 000018
【図１２】
2004183160.tif 000019
【図１３】
2004183160.tif 000020